(57)【特許請求の範囲】
【請求項１】
離間対設したフレーム間に複数枚のガラリ羽根の両端側を所定間隔を存して固定し、室内外方向に連通路を形成するようにしたガラリ体であって、前記ガラリ羽根の両端には室内外方向に位置し、ガラリ羽根の長手方向に突出する一対の弾性係止片をそれぞれ形成する一方、前記各フレームにはガラリ羽根を取付ける位置での前記弾性係止片に対応する部位に複数の係止孔をそれぞれ穿設して、ガラリ羽根が弾性係止片を介して前記係止孔に嵌入固定されるように構成し、前記室内外方向に位置する弾性係止片は、ガラリ端部側の基端部と先端部との間に弾性係止片同志の対向間隔が狭くなるよう屈折部がそれぞれ形成されており、弾性係止片をフレームの前記係止孔に嵌入した際、拡開した弾性係止片同志が弾性復帰して前記屈折部で係止孔からの抜脱を防止するように構成したことを特徴とするガラリ。
【請求項２】
前記弾性係止片の基端部には先端側より幅狭の係止部を形成する一方、前記係止孔は先端部が嵌入する幅広辺と、前記係止部が嵌入する幅狭の係止溝部と、幅広辺と係止溝部の各端部同志を連結する傾斜辺とで略台形状に欠成すると共に、係止溝部が室内外方向に対向するよう前記弾性係止片の対応位置に配設されており、弾性係止片をフレームの前記係止孔に嵌入した際、前記係止部が係止溝部に嵌入係止されるように構成したことを特徴とする請求項１に記載のガラリ。
【請求項３】
前記ガラリ羽根は、室内外方向に対向状に設けた一対の垂下片と該垂下片の上端部同志を連結する一対の上向傾斜片とで断面形状略山型状に形成されていることを特徴とする請求項１または請求項２に記載のガラリ。
【発明の詳細な説明】
【技術分野】
【０００１】
本発明は、扉やパネル体に設けられ、室内外方向の視線を遮断すると共に通風用連通路を形成して室内外の換気・通風を行うことができるようにしたガラリに関するものである。
【背景技術】
【０００２】
従来、この種のガラリにおいては、一対のフレーム材を離間対設しこれらフレーム材間に所定間隔を存して複数枚のガラリ羽根の両端側を固定するようにしたものがある。
そして、このように構成したガラリは、特許文献１に示すように、上下方向に所定間隔を存して略三角形状の孔を複数個穿設したガラリ縦フレームを左右方向に離間対設し、これらガラリ縦フレーム間に複数枚のガラリ羽根を上下に横架したものであるが、ガラリ羽根と縦フレームとは、ガラリ羽根の長手方向両端部に形成した突起を前記略三角形状の孔に嵌挿することにより組み付けるようになっている。
【０００３】
また、特許文献２に示すものは、左右に配設した柱体（フレーム）を、主壁と、該主壁の端部に相対向するように設けた突壁とで構成し、各突壁の先端に一定間隔を有して係合凹部を切り欠き形成し、翼板（ガラリ羽根）の端部に突設した締着片を前記係合凹部に抱持状に巻着して翼板（ガラリ羽根）と柱体（フレーム）とを組み付け固定するようになっている。
【特許文献１】特開２００１−６５２５９号公報
【特許文献２】実開昭５２−９９６４６号公報
【発明の開示】
【発明が解決しようとする課題】
【０００４】
一般に、この種のガラリは以下のように組みつけられる。
まず、一方側のフレームに対して複数枚のガラリ羽根の一端側を取り付け、その後に該ガラリ羽根の他端側に他方側のフレームを取り付けることによって対向するフレーム間にガラリ羽根が組みつけられるようになっている。
そして、このような組み付け作業を行う場合、特許文献１のものにおいては、一方側のフレームの孔に複数枚のガラリ羽根の突起をそれぞれ嵌挿した段階では各ガラリ羽根とフレームとは固定状態でないため、接着剤を用いて固定する等これらの離脱防止作業を行って、他方側のフレームをガラリ羽根に取り付ける必要があった。
【０００５】
また、特許文献２に示すものにおいてもガラリ羽根の端部に突設した締着片を一方側のフレームに形成した係合凹部に抱持状に巻着してガラリ羽根とフレームとの離脱を防止する必要があり、組み立て作業工程の増加を招く結果となり、ガラリ組み立て作業効率の向上が求められていた。
【課題を解決するための手段】
【０００６】
本発明は、上記の実情に鑑みこれらの課題を解決することを目的として創作されたものであって、請求項１の発明は、離間対設したフレーム間に複数枚のガラリ羽根の両端側を所定間隔を存して固定し、室内外方向に連通路を形成するようにしたガラリ体であって、前記ガラリ羽根の両端には室内外方向に位置し、ガラリ羽根の長手方向に突出する一対の弾性係止片をそれぞれ形成する一方、前記各フレームにはガラリ羽根を取付ける位置での前記弾性係止片に対応する部位に複数の係止孔をそれぞれ穿設して、ガラリ羽根が弾性係止片を介して前記係止孔に嵌入固定されるように構成し、前記室内外方向に位置する弾性係止片は、ガラリ端部側の基端部と先端部との間に弾性係止片同志の対向間隔が狭くなるよう屈折部がそれぞれ形成されており、弾性係止片をフレームの前記係止孔に嵌入した際、拡開した弾性係止片同志が弾性復帰して前記屈折部で係止孔からの抜脱を防止するように構成したことを特徴とするガラリである。
請求項２の発明は、前記弾性係止片の基端部には先端側より幅狭の係止部を形成する一方、前記係止孔は先端部が嵌入する幅広辺と、前記係止部が嵌入する幅狭の係止溝部と、幅広辺と係止溝部の各端部同志を連結する傾斜辺とで略台形状に欠成すると共に、係止溝部が室内外方向に対向するよう前記弾性係止片の対応位置に配設されており、弾性係止片をフレームの前記係止孔に嵌入した際、前記係止部が係止溝部に嵌入係止されるように構成したことを特徴とする請求項１に記載のガラリである。
請求項３の発明は、前記ガラリ羽根は、室内外方向に対向状に設けた一対の垂下片と該垂下片の上端部同志を連結する一対の上向傾斜片とで断面形状略山型状に形成されていることを特徴とする請求項１または請求項２に記載のガラリである。
【発明の効果】
【０００７】
請求項１の発明とすることにより、一方側のフレームの係止孔にガラリ羽根端部に形成した弾性係止片を嵌入することによって、弾性係止片に形成した屈折部がフレームに穿設した係止孔に係止して抜脱防止がなされれるので、他方側のフレームをガラリ羽根端部に容易に組み付けることができてガラリの組み立て作業効率が著しく向上する。
請求項２の発明とすることにより、弾性係止片を係止孔に嵌入する過程で、係止孔を形成する傾斜辺と弾性係止片の上下端部が摺接することとなってその摺接抵抗が少なく軽い力で弾性係止片を係止孔に嵌入でき、また、弾性係止片の基端部に形成した係止部が係止孔に形成した係止溝部に係止してガラリ羽根の端部側をフレームに強固に固定することができる。
請求項３の発明とすることにより、雨水や塵芥の浸入を効果的に防止すると共に、ガラリの組み立て作業効率が著しく向上する。
【発明を実施するための最良の形態】
【０００８】
つぎに、本発明の実施の形態を図面に基づいて説明する。
図において、１は、ドア等のパネル体に取り付けられて室内外の通風や換気を得るためのガラリであって、該ガラリ１は、左右に配設したフレーム２，２の上下に横架した上枠３と下枠４とで形成される空間部に複数枚のガラリ羽根５が上下方向所定間隔を存して固定されている。
フレーム２は、ガラリ羽根５の端部が取り付けられる取付面２ａと該取付面２ａの両端側を直角方向に折曲形成してなる折曲片２ｂ，２ｂとで断面形状略コ字状の長尺材に形成されている。
ガラリ羽根５は鋼板を折曲加工することにより形成されるものであるが、離間対設する垂下片５ａ，５ａと、該垂下片５ａ，５ａの上端に延設され上方程互いに接近関係にある一対の上向傾斜片５ｂ，５ｂと、該上向傾斜片５ｂ，５ｂ上端に形成された起立片５ｃ，５ｃと、これら起立片５ｃ，５ｃの上端部同士を連結する連結片５ｄとで断面略山型状に形成されている。      
また、垂下片５ａ，５ａの両端にはガラリ羽根５の長手方向に向けてそれぞれ弾性係止片６が突成されており、これによって室内外方向に弾性係止片６が対向するようになっている。
室内外の弾性係止片６，６は、ガラリ羽根５の端部から突出するよう基端側に形成した係止部６ａと先端側の先端部６ｂと、係止部６ａと先端部６ｂの対向端面からそれぞれ延設された傾斜部６ｃ，６ｃと、これら傾斜部６ｃ，６ｃの先端を連結する連結部６ｄとで凸状の屈曲部が形成されて、連結部６ｄ，６ｄ同士が互いに対向状に接近するように設けられている。
係止部６ａは、傾斜部６ｃより幅狭に形成され、その突出長さはフレーム２の板厚より僅かに大きな寸法に設定されている。
【０００９】
一方、フレーム２には、ガラリ羽根５を取付ける位置で室内外に形成した弾性係止片６，６の先端部６ｂ，６ｂに対応する部位に上下方向所定間隔を存して複数の係止孔７が穿設され、該係止孔７は、前記弾性係止片６の先端部６ｂが嵌入可能な幅広辺７ａと、係止部６ａが嵌入可能な幅狭の係止溝部７ｂと、これらの幅広辺７ａと係止溝部７ｂの端部同士を連結する連結辺７ｃとからなる略台形状に欠成され、該係止溝部７ｂが室内外方向に対向するよう設けられている。
尚、係止溝部７ｂの幅と高さ寸法は、前記ガラリ羽根５の基端側に突成した係止部６ａより僅かに大となるように設定されている。
【００１０】
次に、このように構成したガラリの組み付けについて説明する。
図３において、ガラリ羽根５の室内外に形成した弾性係止片６，６の先端側をフレーム２の取付面２に穿設した係止孔７に対向させた状態（Ａ）から、弾性係止片６，６の先端側を係止孔７に嵌入させると、弾性係止片６，６の先端側の傾斜部６ｃが係止孔７の係止溝部７ｂの当接をうけて弾性係止片６，６は相互に拡開した状態で嵌入し（Ｂ）、弾性係止片６，６の基端側の傾斜部６ｃが係止溝部７ｂに当接する段階になると拡開状態の弾性係止片６，６は次第に接近して元の位置に弾性復帰することとなり、弾性係止片６，６の基端側に形成された係止部６ａが係止孔７の係止溝部７ｂに嵌入することによって係止し（Ｃ）、フレーム２とガラリ羽根５との抜脱が防止される。そして、複数枚のガラリ羽根５について上記と同様の嵌入作業を行った後、ガラリ羽根５の他端側の弾性係止片６，６を他方のフレーム２に嵌入することによって一対のフレーム２，２間にガラリ羽根５が取り付けられてガラリが組み付けられることとなるが、ガラリ羽根５の一端側がフレーム２に嵌入された状態でしっかりとした係止がなされているのでことさらガラリ羽根５とフレーム２との固定作業が不要となり、他方のフレーム２へのガラリ羽根５の組み付けが容易となって作業効率が著しく向上する。  
【００１１】
フレーム２の係止孔７は必ずしも台形状に形成する必要はなく、方形状であってもよいものであるが、本実施形態のように係止孔７を略台形状として傾斜辺７ｃを形成するようにした場合には弾性係止片６，６を係止孔７に嵌入する過程で係止部６ａの上下端部側のみが傾斜辺に摺接するので、その摺接抵抗が少なく軽い力で弾性係止片６を係止孔７に嵌入することができて作業負担の軽減を図ることができる。
また、弾性係止片６に形成される屈折部の形状は、本実施形態に示したものに限定するものではないことは勿論であって、例えば円形状や三角形状等として係止孔７に嵌入した際に拡開し、その後弾性係止片６の弾性復帰に伴って屈折部がフレーム２取付面２ａに係止して抜脱が防止されるようなものであれば良い。
尚、上記の実施形態においては、ガラリ羽根５の断面形状を略山型状に形成した場合について説明したが、図４のように室外側に向けて低位となる傾斜面５０ａで構成されるガラリ羽根５０であっても良く、この場合には、傾斜面５０ａの上位側に形成した立上り片５０ｂと下位側に形成した水切り片５０ｃの端部に弾性係止片６をそれぞれ突成する一方、フレーム２の取付面２ａにはガラリ羽根５０を取り付ける位置での弾性係止片６の対応部位に係止孔７をそれぞれ穿設して上記と同様の組み付け作業を行えばよい。
【図面の簡単な説明】
【００１２】
【図１】（Ａ）本発明に係るガラリの正面図である。          （Ｂ）同上のＸ−Ｘ断面図である。
【図２】要部を示す斜視図である。
【図３】フレームとガラリ羽根の組み付け時の状態を示す上面図である。
【図４】他の実施形態の要部を示す斜視図である。
【符号の説明】
【００１３】
１    ガラリ
２    フレーム
２ａ  取付面
５    ガラリ羽根
６    弾性係止片  
６ａ  係止部
６ｂ  先端部
６ｃ  傾斜部
６ｄ  連結部
７    係止孔
７ａ  幅広辺
７ｂ  係止溝部
７ｃ  傾斜辺
【図１】
0005112958.tif 000002
【図２】
0005112958.tif 000003
【図３】
0005112958.tif 000004
【図４】
0005112958.tif 000005